(57)【要約】本発明は、ボディ（２）と、第１のカム（１１）を備えた側面ボタン（７）と、第１の傾斜平面（２３）を備えた可動部材（２０）を有している前進機構とを有している筆記用具に関する。側面ボタン（７）は第１のカムが第１の傾斜平面に面している解放位置にとどまっており、また第１の傾斜運動を行うことができ、その間第１のカムが第１の傾斜平面と相互作用する。前記ボタン（７）は第１のカムから長さ方向に離れている第２のカム（１２）を有しており、可動部材は第２の傾斜平面（２６）に隣接している支持部分（２５）を有している。第２のカム（１２）は第１の傾斜運動の間、支持部分上で支持されており、この運動の終了時時に第２の傾斜部分に面する。ボタンは次に第２の傾斜運動を行い、その間、第２のカムは第２の傾斜平面と相互作用する。
2007508968.tif 000002
【特許請求の範囲】
【請求項１】
後端部と、筆記先端が貫通して突き出すことが可能な開口を備えている前端部（２ａ）との間を長さ方向の軸線（Ｘ）に沿って延びている管状のボディ（２）と、半径方向外向きの少なくとの１つの作動面（９）と前記ボディの内部に配置されている少なくとも１つの第１のカム（１１）とを有している側面ボタン（７）と、前記長さ方向の軸線に対して傾いている第１の傾斜部分（２３）を少なくとも有し、前記ボディ内を長さ方向に可動な可動部材（２０）を有している筆記先端前進機構と、を有し、前記側面ボタン（７）は、前記第１のカムが前記第１の傾斜部分に面している休止位置にとどまることが可能あり、かつ、前記ボディの内部に向かう第１の傾斜運動が可能であり、該運動の間前記第１のカムが前記第１の傾斜部分と相互作用して前記可動部材が第１の運動を行う、筆記具において、
前記側面ボタン（７）は、前記第１のカム（１１）から長さ方向に離れている第２のカム（１２）を少なくとも有しており、前記可動部材（２０）は、少なくとも１つの第２の傾斜部分（２６）に隣接している、前記長さ方向の軸線に実質的に平行な支持部分（２５）を有しており、前記第２のカム（１２）は、前記側面ボタンが前記第１の傾斜運動を行っている間前記支持部分に載り、かつ前記第１の傾斜運動の終了時には前記第２の傾斜部分に面し、それから前記側面ボタンは、前記ボディの内部へ向かう第２の傾斜運動が可能であり、該運動の間前記第２のカム（１２）が前記第２の傾斜部分（２６）と相互作用し前記可動部材が第２の運動を行うことを特徴とする筆記用具。
【請求項２】
前記ボディは当たり部分（２７）を有し、前記第１のカムは前記側面ボタンが前記第２の傾斜運動をしている間に前記ボディの前記当たり部分に接触する少なくとも１つの接触点（２８）を有している、請求項１に記載の筆記用具。
【請求項３】
前記可動部材の前記傾斜部分（２３、２６）の少なくとも一方は、半径方向に計ったときに前記管状のボディの内部空間に実質的に等しい高さを有している、請求項１または２に記載の筆記用具。
【請求項４】
前記側面ボタン（７）は前記第１のカムと前記第２のカムの位置にそれぞれ第１および第２のＵ字状の断面を有しており、前記第１および第２の断面のＵ字の両分岐部の端部がそれぞれ前記第１の第２のカム（１１、１２）を構成している、請求項１から３のいずれか１項に記載の筆記用具。
【請求項５】
前記可動部材の前記第１の傾斜部分（２３）は前記ボディの前記前端部（２ａ）に位置しており、前記第２の傾斜部分（２６）は前記後端部（２ｂ）に位置している、請求項１から４のいずれか１項に記載の筆記用具。
【請求項６】
前記前進機構は、前記可動部材（２０）を前記ボディの前記後端部に向けて押しやる弾性部材（１９）を有し、前記第１および第２の傾斜部分（２３、２６）の傾斜は、前記第１および第２の運動が前記ボディの前記前端部に向かって行われるようなものとなっている、請求項１から５のいずれか１項に記載の筆記用具。
【請求項７】
前記筆記先端は芯（６）であり、前記前進機構は前記可動部材（２０）に接続されている芯締め付けチャック（３０）を有している、請求項６に記載の筆記用具。
【請求項８】
前記チャック（３０）は前記チャックと前記可動部材（２０）とを前記ボディの前記後端部に向けて押しやる少なくとも１つの弾性部材（１９）の作用によって閉じた状態に保たれる、請求項７に記載の筆記用具。
【請求項９】
前記可動部材は少なくとも１本の芯が貫通可能な中央ダクト（２４）を有しており、前記第１および第２の傾斜部分（２３、２６）はそれぞれ前記中央ダクトの各側に位置している傾斜表面の第１および第２の対によって形成されている、請求項７または８に記載の筆記用具。
【請求項１０】
芯格納室（２２ｂ）が前記可動部材（２０）に固定され、かつ前記ボディの前記後端部から露出している後部ボタン（４６、４７）を備えている後端部まで延びている、請求項７から９のいずれか１項に記載の筆記用具。
【請求項１１】
芯案内先端（５）が、引き込み位置と突き出し位置との間で前記ボディの前記前端部内に摺動して入るように取り付けられており、前記可動部材（２０）の前記第１の運動は前記チャック（３０）を前進させて開くのに適しており、前記可動部材の前記第２の運動は前記芯案内先端（５）を前記突き出し位置へと押しやるのに適している、請求項７から１０のいずれか１項に記載の筆記用具。
【発明の詳細な説明】
【技術分野】
【０００１】
本発明は、筆記用具に関し、特に、後端部と、筆記先端が貫通して突き出すことが可能な開口を備えている前端部との間を長さ方向の軸線に沿って延びている筒状のボディと、半径方向外向きの少なくとも１つの作動面とボディの内部に配置されている少なくとも１つの第１のカムとを有している側面ボタンと、長さ方向の軸線に対して傾斜している第１の傾斜部分を少なくとも有し、ボディ内を長さ方向に可動な可動部材を有している筆記先端前進機構と、を有し、側面のボタンは、第１のカムが第１の傾斜部分に面している休止位置にとどまることが可能であり、かつボディの内部に向かう第１の傾斜運動が可能であり、該運動の間第１のカムが第１の傾斜部分と相互作用して可動部材が第１の運動を行うシャープペンシルに関するが、シャープペンシルには限定されない。
【背景技術】
【０００２】
たとえば米国特許出願公開明細書第３８８３２５３号に記載されているような、筆記先端を前進させる側面ボタンを備えている筆記用具は、筆記先端を前進させる、つまり突き出す必要があるときに、使用者が筆記用具を自分の手の中で筆記位置に維持するという利点がある。この形式の筆記用具では、側面ボタンを作動させるためには使用者が自分の人差し指をボディに沿って動かすことがせいぜい必要なだけである。これは、芯が消耗すると芯前進機構を定期的に作動させることが必要なシャープペンシルでは特に有利である。
【発明の開示】
【発明が解決しようとする課題】
【０００３】
しかし、上記従来技術の側面ボタンには、前進機構を長さ方向に比較的わずかにしか移動させることができないという欠点がある。具体的には、前進機構の傾斜部分に対するボタンのカムの作動ストロークが管状のボディの内径に制限されており、その結果、ボディの直径を過度に大きくすることなく、かつボタンに作用する圧力が許容可能に維持されるように傾斜部分の適切な傾斜を維持しながら相当のストロークを得ることができない。さらに、管状のボディの中央にたとえば芯格納室などの筒が存在するため、側面ボタンはボディの外側に突き出し、そのため筆記用具を握るのがやっかいで、筆記用具を握り替えないで側面ボタンを作動させることがより困難になることがある。
【０００４】
本発明の目的は、特に、可動部材の前向きのストロークが、芯を前進させる役割を持つ第１の部分と、ボディの前端部に可動に取り付けられている芯案内先端を突き出す第２の部分とを備えているシャープペンシルの場合に、筆記先端を長さ方向により大きく動かすことができる側面ボタンと前進機構とを備えた筆記用具を提案することによって、前述の欠点を軽減することである。
【課題を解決するための手段】
【０００５】
そのため、本発明の対象は、側面ボタンが第１のカムから長さ方向に離れている第２のカムを少なくとも有しており、可動部材が、少なくとも１つの第２の傾斜部分に隣接している、長さ方向の軸線に実質的に平行な支持部分を有しており、第２のカムは前記側面ボタンの第１の傾斜運動の間は支持部分に載り、側面ボタンは、ボディの内部へと向かう第２の傾斜運動が可能であり、該運動の間第２のカムが第２の傾斜部分と相互作用し可動部材が第２の運動を行うこと特徴とする前述の種類の筆記用具である。
【０００６】
この構成のおかげで、前進機構の可動部材を、ボディの内部に向かう２つの傾斜運動を行わせる１つの側面ボタンを使用して運動させることができる。これらの傾斜運動の各々の可動部材に対する作用は、従来技術の側面ボタンによって得られる作用と実質的に同じであり、その結果、可動部材に同一方向の第１と第２の運動を行わせることによって、筆記先端の長さ方向の運動を実質的に２倍にするか、側面ボタンアセンブリの半径方向内向きの運動を半分に減らして、したがってボディから突き出ているこのボタンの部分を小さくすることができる。
【０００７】
この２重の傾斜運動は使用者が側面ボタンの作動面の概ね中央に１回圧力を作用させることによって行うことが可能であり、したがって使用者が実質的に感知できない場合があることに注目されるべきであろう。具体的には、側面ボタンは、第１の傾斜部分に面している第１のカムの配置と第２のカムが載っている可動部材の支持部分の存在とによって、半径方向の圧力の作用で休止位置から第１の傾斜運動を行い、それからボタンは、第１の傾斜運動の終了時に第２のカムが第２の傾斜部分に面していることによって、実質的に自動的に第２の傾斜運動を行う。
【０００８】
しかし、作動面は、例えば、可動部材に作用が異なる第１と第２の運動をさせるか、可動部材に反対方向の第１と第２の運動をさせるように、その長さ方向の両端部の一方で押され、それから他方で押されることを意図としていることが考えられる。
【０００９】
本発明の好ましい実施態様では、１つまたは他の以下の構成を使用することもできる
−ボディは当たり部分を有しており、第１のカムは、側面ボタンと可動部材との間の摩擦を制限するために、側面ボタンが第２の傾斜運動をしている間にボディの当たり部分に接触する少なくとも１つの接触点を有している。
【００１０】
−可動部材の傾斜部分の少なくとも一方は、半径方向に計ったときに管状のボディの内部空間に実質的に等しい高さを有している。
【００１１】
−側面ボタンは第１および第２のカムの位置にそれぞれ第１および第２のＵ字状の断面を有しており、第１および第２の断面のＵ字の両分岐部の端部がそれぞれ第１および第２のカムを構成している。
【００１２】
−可動部材の第１の傾斜部分はボディの前端部に位置しており、第２の傾斜部分は後端部に位置している。
【００１３】
−前進機構は、可動部材をボディの後端部に向けて押しやる弾性部材を有しており、第１および第２の傾斜部分の傾斜は、第１および第２の運動がボディの前端部に向かって行われるようなものになっている。
【００１４】
−筆記先端は芯であり、前進機構は可動部材に接続されている芯締め付けチャックを有している。
【００１５】
−チャックはチャックと可動部材とをボディの後端部に向けて押しやる少なくとも１つの弾性部材の作用によって閉じた状態に維持される。
【００１６】
−可動部材は少なくとも１本の芯が貫通可能な中央ダクトを有しており、第１および第２の傾斜部分はそれぞれ中央ダクトの各側に位置している傾斜表面の第１の対と第２の対によって形成されている。
【００１７】
−芯格納室が可動部材に固定され、かつ後部ボタンによって芯を前進させることができるように、ボディの後端部から露出している後部ボタンを備えている後端部まで延びている。
【００１８】
−芯案内先端が引き込み位置と突き出し位置との間でボディの前端部内に摺動して入るように取り付けられており、可動部材の前記第１の運動はチャックを前進させて開くのに適しており、可動部材の第２の運動は芯案内先端を突き出し位置に押すのに適している。
【発明を実施するための最良の形態】
【００１９】
本発明のその他の特徴と利点は、添付図面を参照して非限定的な例として示している以下の説明から明らかになるであろう。
【００２０】
さまざまな図において、同じ参照番号は同じまたは同様な部材を指している。
【００２１】
図１は、長さ方向の軸線Ｘに沿って前端部２ａと後端部２ｂとの間を延びている管状のボディ２を有しているシャープペンシル１を示している。
【００２２】
本実施形態では、ボディ２は筒３と、ボディ２の前端部に配置されている先端４とによって構成されている。
【００２３】
先端４は、その前端部に、先端４の孔４ａの中を自由に摺動するように取り付けられている芯案内先端５が貫通する開口を有している。芯案内先端５は、芯が折れるのを防ぐように芯６の出現に伴って出現する。芯の摩耗が芯案内先端の端部にまで達すると、芯案内先端が用紙に接触し、芯の端部を露出させ継続して筆記できるように後退運動を行う。
【００２４】
側面ボタン７が、管状のボディ２の半径方向の壁に形成され、長さ方向の軸線Ｘに沿って延びている長方形の窓８を貫通して取り付けられている。側面ボタン７は、半径方向外向きの作動表面９を有している。
【００２５】
側面ボタン７は、側面ボタンの前端部の位置に作動表面９に対向するように配置されている第１のカムの対１１を有している。図５でわかるように、ボタンの前端部７ａはＵ字形の断面を有しており、Ｕ字の基部は作動表面９を構成しており、Ｕ字の両分岐部分は管状のボディの内側に向けて延び、かつ第１のカムの対１１の各々を構成するように端部の前部が丸みを帯びた形状の２つの翼部１３を構成している。
【００２６】
側面ボタンの後端部７ｂもＵ字形の断面を有している。前端部７ａと同様に、Ｕ字形の後部断面の両分岐部分は２つの翼部１４を構成しており、これらの翼部の内側の端部は各々第２のカムの対１２を構成している丸みを帯びた部分を前端部７ａの側に有している。
【００２７】
第１のカムの対１１は、第２のカムの対１２から側面ボタン７の作動面９の長さ方向の長さに近い距離だけ軸線Ｘに沿って離れていることがわかるであろう。
【００２８】
両翼部１３の外側の面の端部は、半径方向外向きに突き出している第１の突片１５（図５参照）を有している。後ろの両翼部１４の内側の端部はボディ２の後端部２ｂに向けて突き出している第２の突片１６を有している。第１の突片１５と第２の突片１６とは、窓８の内側の周辺部と相互作用して、側面ボタン７が管状のボディ２から完全に外に出てしまうのを防止している。
【００２９】
管状のボディ２の内部には、可動部材２０と、チャック３０と、スリーブ４０と、締め付けリング１８と、可動部材２０とスリーブ４０との間に配置されているばね１９とを有している前進機構が配置されている。
【００３０】
可動部材２０は、管状のボディ２内を長さ方向の軸線Ｘに沿って摺動するように取り付けられている。本実施形態では、可動部材２０は、可動部材の前端部２０ａを形成している前部片２１と、前部片２１に取り付けられている主片２２とを有している。主片２２は、可動部材の前端部２０ａに位置し、以降で詳細に説明する前部と、芯格納室を形成している中空の後部２２ｂとを有している。しかし、芯格納室を可動部材２０に取り付けられている独立した部品で形成することも完全に可能である。
【００３１】
チャック３０は、図示の例示的な実施形態では可動部材の前片２１の中を所定の長さにわたって摺動するように取り付けられている管状部分３１と、芯６を動かないようにする締め付けリング１８と既知の方法で相互作用するヘッド３２とを有している。
【００３２】
スリーブ４０は、ボディ２内を摺動して、チャック３０に対して運動するように取り付けられている。スリーブは、休止位置ではばね１９によって先端４と締め付けリング１８とに押し当てて保持されている。
【００３３】
可動部材２０の主片２２の前部は、互いに同一で、可動部材の前端２０ａに配置されている第１の傾斜部分の対２３を有している。第１の傾斜部分の対２３はそれぞれ、芯が格納室からチャック３０に向けて通過できるように中央ダクト２４の各側に配置されている。第１の傾斜部分２３の各々は、長さ方向の軸線Ｘに対して傾斜している直線状の表面を有している。
【００３４】
図示の実施形態では、第１の傾斜部分の対２３は、ボディ２の後部に向かう方向を向いている。
【００３５】
したがって、側面ボタン７に圧力が作用すると、第１のカムの対１１は第１の傾斜部分の対２３と相互作用して、図１と２とに示している休止位置から可動部材２０の前端２ａに向かう運動を発生させる。
【００３６】
長さ方向の軸線Ｘに平行な支持部分２５は、可動部材２０の面上に側面ボタン７に対向して形成されている。図５によりわかりやすく示しているように、支持部分２５は、側面ボタンが休止位置にあるときに、側面ボタン７の第２のカムの対１２を支持部分２５上に載せることができるように、ダクト２４の各側を延び、かつ長さ方向に配置されている。
【００３７】
第２の傾斜部分２６の対が、支持部分２５の後端部のすぐ後に続いている。第２の傾斜部分の対はそれぞれ、芯格納室の各側に配置されており、第１の傾斜部分の対２３と同様に長さ方向の軸線に対して傾斜している。
【００３８】
第２の傾斜部分の対２６は、側面ボタンが第１の傾斜運動をして図３に示している位置にある時に、第２のカムの対１２が第２の傾斜部分の対２６に対向するように、長さ方向に第１の傾斜部分の対２３から離れている。
【００３９】
シャープペンシルのボディ２は、長さ方向の軸線Ｘに平行で、ボディの窓８に対向している表面を有している当たり部分２７を有している。第１のカムの対１１は、側面ボタン７が第１の傾斜運動をしたときに当たり部分２７に接触する接触点を形成している、突き出ているボス２８によって後方に延びている。
【００４０】
当たり部分２７の前端部は、休止位置でばね１９の作用によって可動部材の半径方向外側の肩部２９が接触する半径方向内側の周縁を形成している。このように当たり部分２７は可動部材２０の後退を制限するために使用されている。
【００４１】
可動部材の後端部２０ｂ、つまり本実施形態では芯格納室を形成している部分２２ｂの後端部には、ボディの後端部２ｂを貫通して突き出している部材４６が取り付けられている。部材４６は、ボディの後端部２ｂを貫通して摺動する管状部分と、締結部分と、消しゴム４７が内部に取り付けられている円筒状凹部とを有している。部材４６と消しゴム４７とは可動部材２０を前向きに運動させるのに使用される後部ボタンを構成している。
【００４２】
上記のシャープペンシルの動作を図２から４を参照して以下で説明する。
【００４３】
図２に示している休止位置では、可動部材２０は、可動部材の前端部２０ａに圧力を作用させるばね１９の作用によって当たり部分２７に接触するように引き込まれている。この休止位置では、側面ボタン７の第１のカムの対１１は第１の傾斜部分の対２３に接触しており、第２のカムの対１２は可動部材の支持部分２５に載っている。しかし、特に側面ボタン７が弾性部材によって外向きに押されている場合は、第１のカムの対１１と第２のカムの対１２とは、第１の傾斜部分の対２３と支持部分２９とに面しているだけでもよいことが理解されるであろう。
【００４４】
使用者は、図２に示している休止位置から、人差し指で圧力を作動表面９の概ね中心に作用させる。第２のカムの対１２は支持部分２５に載っているので、側面ボタン７はボディ２の内側に向かう第１の傾斜運動を行い、ボタンの前端部７ａは窓８を通り抜ける。第１のカムの対１１は第１の傾斜部分の対２３と相互作用し、そのため、側面ボタンの第１の傾斜運動は、可動部材２０の長さ方向の前向きの第１の運動に変換される。この第１の運動によって、可動部材の前片２１内のチャックの管状部分３１の「後退ストローク」と呼ばれる摺動隙間がなくなり、したがって前端部２０ａがチャックの周縁に接触して、それから、可動部材２０はチャック３０に第１の前向きの運動を行わせる。
【００４５】
チャックのこの第１の運動中に、リング１８は芯の上に締め付けられたチャックのヘッド３２を保持し、芯も同時に運動させる。
【００４６】
芯６は、芯案内先端５を貫通して摺動するが、芯案内先端５と開口４ａとの間の摩擦力が芯案内先端５と芯６との間の摩擦力よりも大きいために芯案内先端が開口４ａ内で動かないことがある。図３からわかるように、芯６は次に芯案内先端から現れる。
【００４７】
側面ボタン７の第１の傾斜運動の終わりに、図３に示しているように、リング８が先端４の後端部に接触し、第１のカムの対１１の突起しているボス２８がボディの当たり部分２７上に載る。
【００４８】
第２のカムの対１２は、第１の傾斜運動の終わりに、支持部分２５の第１の傾斜運動中の前向きの運動によって、第２の傾斜部分の対２６に面していることが分かるであろう。使用者が作動表面９に圧力を作用させたままにすると、当たり部分２７に接触している、突き出ているボス２８によって形成されている支持点を中心とする、側面ボタン７の第２の傾斜運動が必然的に得られる。
【００４９】
この第２の傾斜運動の間に、第２のカムの対１２は第２の傾斜部分の対２６と相互作用して、可動部材２０は第２の前向きの運動を行う。リング１８はチャックのヘッド３２を解放し、ヘッド３２は開いて、芯案内先端５に当たって止まる。芯案内先端は前方に摺動し、芯６は、可動部材の第２の運動中はチャックに締め付けられていなくても芯案内先端５によって芯６に作用する摩擦力によって、前向きの運動を継続する。
【００５０】
ボス２８がボディ２の当たり部分２７上に載っているため、第２の傾斜運動の間は第２のカムの対１２だけが可動部材に接触していることがわかるであろう。これは、側面ボタン７と可動部材２０との間の摩擦力を制限するために使用され、その結果、第２の傾斜運動のために側面ボタンに作用させる圧力を大きく増大させる必要がない。
【００５１】
側面ボタン７の第２の傾斜運動の終わりに、シャープペンシルは、それ自体がシャープペンシルの先端４の開口から現れる芯案内先端５の前端部から芯６が現れる図４に示している状態にある。
【００５２】
使用者が側面ボタンの作動面９への圧力を解除すると、ばね１９が可動部材２０を図４に示している位置から後方に押し、その結果側面ボタン７が側面ボタンの第１および第２のカムの対（１１、１２）上の第１および第２の傾斜部分の対（２３、２６）の作用によって休止位置に戻る。可動部材のこの後退運動の間に、チャック３０も後退運動をするが、チャックのヘッド３２はこの運動の実質的に全長にわたって開いたままであり、そのため芯は後退運動を実質的に行わない。したがって、使用者が側面ボタン７を放すと、図４に示しているように、側面ボタン７は休止位置に戻り、チャックは再び芯６を締め付け、芯６と芯案内先端５は使用位置にとどまる。
【００５３】
この使用位置から、芯をさらに突き出すには、側面ボタン７の第１の傾斜運動だけを制御するだけで十分であることが理解されるであろう。そのため、芯のさらに突き出すのを制御するためには、側面ボタンを完全に押す必要はなく、芯をさらに突き出すことはボタンの作動面９の前端部にだけ圧力を作用させるだけで素早く正確に制御することができる。
【００５４】
部材４６が可動部材２０に剛に連結がされているため、部材４６と消しゴム４７とで構成されている後部ボタンを作動させることによって、芯を芯案内先端から突き出すことも可能である。
【００５５】
勿論、本実施形態は決して限定的なものではなく、本発明の範囲を逸脱することなくある部材を省略してもよい。たとえば、芯案内先端５、可動スリーブ２０、および可動部材の前部２３のチャックの端部の摺動アセンブリは、側面ボタンの２重傾斜運動のおかげで、可動部材の前向きの運動量をさらに増加させるためには必要ない。
【００５６】
さらに、前述の例示的な実施形態は、シャープペンシルに適用されているが、側面ボタンと可動部材とを備えた同様の機構は、ボールペンなどの他の種類の筆記用具に適用できることが当業者には明らかになるであろう。
【００５７】
ボールペンの突き出し制御の場合、たとえば、側面ボタンの第１の傾斜運動が先端を突き出させ、第２の傾斜運動がボールの付いた先端を後退させるように、可動部材の前後の傾斜部分は互いに逆方向に傾斜していてもよいことは考えられる。この場合、本発明の範囲を逸脱することなく可動部材をその第１の運動の後に可動部材を掛け止めする機構を備えることもできる。
【図面の簡単な説明】
【００５８】
【図１】本発明のボタンと前進機構を有し、側面ボタンが休止位置にあるシャープペンシルの長さ方向の断面図である。
【図２】図１に示しているシャープペンシルの前部の拡大図である。
【図３】側面ボタンが第１の傾斜運動を行った、図２と同様の図である。
【図４】側面ボタンが第２の傾斜運動を行った、図２と同様の図である。
【図５】図１に示している側面ボタンと前進機構との斜視図である。
【図１】
2007508968.tif 000003
【図２】
2007508968.tif 000004
【図３】
2007508968.tif 000005
【図４】
2007508968.tif 000006
【図５】
2007508968.tif 000007
【国際調査報告】
2007508968.tif 000008
2007508968.tif 000009
2007508968.tif 000010
2007508968.tif 000011